(57)【要約】【課題】可動作業ブースの移動に伴い簡単な機械的な機構でもって、所定位置において可動側と固定側のダクトの中継を行い得るようにすること。【解決手段】吸引ダクト本体と、接続ダクトと、複数の開閉ダンパーと、ダンパー操作体と、該ダンパー操作体に摺接する状態で設けられた従動体と、該従動体に固定され、且つ前記開閉ダンパーと一体の回動軸と、該回動軸に連設され、且つ前記開閉ダンパーを常時閉じ方向に附勢するように設けられたバネとから成り、前記可動作業ブースが所定位置に至ったときに、前記ダンパー操作体が、対応する少なくとも一つの従動体に接当し、前記バネに抗して前記回動軸を回動させて少なくとも一つの前記開閉ダンパーを開くように構成してある。【選択図】図４
0003126172.tif 000002
【実用新案登録請求の範囲】
【請求項１】
水平移動可能に設けられた少なくとも一つの可動作業ブース１と、該可動作業ブース１を、ダクト２を介して集塵する集塵装置１３から成る可動作業ブース用集塵装置におけるダクト装置であって、
前記可動作業ブース１の移動範囲に延設された吸引ダクト本体３と、
一端が前記可動作業ブース１側に接続固定され、他端が前記吸引ダクト本体３に臨まされて設けられた接続ダクト４と、
前記吸引ダクト本体３の長手方向に所定の間隔で配置された複数の開閉ダンパー５Ａ，５Ｂ，５Ｃ・・・と、
前記可動作業ブース１の前記接続ダクト４側に設けられたダンパー操作体７と、
該ダンパー操作体７に摺接する状態で吸引ダクト本体３に設けられた従動体８と、
該従動体８に固定され、且つ前記開閉ダンパー５Ｃと一体の回動軸９と、
該回動軸９に連設され、且つ前記開閉ダンパー５Ｃを常時閉じ方向に附勢するように設けられたバネ１０と、から成り、
前記可動作業ブース１が所定位置に至ったときに、前記ダンパー操作体７が、対応する少なくとも一つの従動体８に接当し、前記バネ１０に抗して前記回動軸９を回動させて少なくとも一つの前記開閉ダンパー５Ｃを開くように構成してあることを特徴とする可動作業ブース用集塵装置におけるダクト装置。
【請求項２】
前記ダンパー操作体７が、所定長さの傾斜カム板７Ａで構成され、該傾斜カム板７Ａに複数の従動体８が同時に接当して、各開閉ダンパー５Ａ，５Ｂ，５Ｃを全開及び所定角度の開度で開くように構成してある請求項１の可動作業ブース用集塵装置におけるダクト装置。
【請求項３】
前記従動体８には前記傾斜カム板７Ａに接当するローラー８Ａが設けられていることを特徴とする請求項２の可動作業ブース用集塵装置におけるダクト装置。
【考案の詳細な説明】
【技術分野】
【０００１】  本考案は、塗装作業用のブース等、可動する作業ブースを集塵するところの可動作業ブース用集塵装置におけるダクト装置に関する。
【背景技術】
【０００２】  集塵装置のダクトとして、集塵位置を変えたい現場があり、この際、その一つの手段として、可動ダクトを、本体ダクトに対してシール状態で摺動させる構造を採ったり、また、可動ダクトの移動位置において、本体ダクトの開閉ダンパーを油圧（或いはエアー）で操作して連通状態を得るようにする方策が採られている。【０００３】  このような技術として、次の文献を挙げることができる。
【特許文献１】特開平１０−８５６９４。
【考案の開示】
【考案が解決しようとする課題】
【０００４】  上記従来技術においては、特許文献１のように、本体ダクトに対して接続ダクトを移動させる場合には、摺動状態でのシール機能を備える必要があるが、この構造は難しく、また、本体ダクト内に駆動ベルトを配置している構造も、装置として複雑でコストがかかる。
また、可動ダクトの移動位置において本体ダクトの開閉ダンパーを油圧（或いはエアー）で操作する方式も、そうした油圧等の駆動装置、所定位置で作動させるためのリミットスイッチ等を必要とし、コストが掛かるものである。【０００５】  本考案は、可動作業ブースの移動に伴い簡単な機械的な機構でもって、所定位置において可動側と固定側のダクトの中継を行い得るようにすることを目的とする。
【課題を解決するための手段】
【０００６】  本考案にかかる可動作業ブース用集塵装置におけるダクト装置は、上記目的を達成するために、
水平移動可能に設けられた少なくとも一つの可動作業ブース１と、該可動作業ブース１を、ダクト２を介して集塵する集塵装置３から成る可動作業ブース用集塵装置におけるダクト装置であって、
前記可動作業ブース１の移動範囲に延設された吸引ダクト本体３と、
一端が前記可動作業ブース１側に接続固定され、他端が前記吸引ダクト本体３に臨まされて設けられた接続ダクト４と、
前記吸引ダクト本体３の長手方向に所定の間隔で配置された複数の開閉ダンパー５Ａ，５Ｂ，５Ｃ・・・と、
前記可動作業ブース１の前記接続ダクト４側に設けられたダンパー操作体７と、
該ダンパー操作体７に摺接する状態で吸引ダクト本体３に設けられた従動体８と、
該従動体８に固定され、且つ前記開閉ダンパー５Ｃと一体の回動軸９と、
該回動軸９に連設され、且つ前記開閉ダンパー５Ｃを常時閉じ方向に附勢するように設けられたバネ１０と、から成り、
前記可動作業ブース１が所定位置に至ったときに、前記ダンパー操作体７が、対応する少なくとも一つの従動体８に接当し、前記バネ１０に抗して前記回動軸９を回動させて少なくとも一つの前記開閉ダンパー５Ｃを開くように構成してあることを特徴とする。【０００７】  本考案において、可動作業ブースとは、塗装ブースのほか、各種の作業ブースを含む。
また、集塵装置としては、バグフィルター型集塵機等の何らかのフィルター機能、或いは、粉塵分離機構（サイクロン型）を備えたタイプ、ろ布を備えないタイプ等、全ての集塵装置が含まれる。
更に、開閉ダンパー５Ａ，５Ｂ，５Ｃ・・・は、その設置数を限定するものでなく、十数個設けることもある。そして、一度に開作動する数についても、一つが全開し、二つが中間開きし、或いは二つ、三つが全開し、複数が所定の異なる角度で開き操作される場合等があるもので、これらの変化形態は全て本考案の対象となる。
【考案の効果】
【０００８】  本考案によれば、所定位置の少なくとも一つの開閉ダンパー５Ｃを、可動作業ブース１の移動に伴い、自動的に、機械的に開き操作することができ、油圧等の格別のダンパー開閉手段を備えることなく、可動作業ブースの所定位置におけるダクトの中継を、安価な機構でもって達成できる。
【考案を実施するための最良の形態】
【０００９】  本考案において、前記ダンパー操作体７が、所定長さの傾斜カム板７Ａで構成され、該傾斜カム板７Ａに複数の従動体８が同時に接当して、各開閉ダンパー５Ａ，５Ｂ，５Ｃを全開及び所定角度の開度で開くように構成してあるのが好ましい。
このように、複数の開閉ダンパー５Ａ，５Ｂ，５Ｃ・・・を設置することで、可動作業ブース１の停止位置を細かく設定できると共に所定停止位置において、広い範囲で吸引作用を得ることができる。
また、各開閉ダンパー５Ａ，５Ｂ，５Ｃの開き操作が、可動作業ブース１の移動に追従して行われるので、その移動に合わせて暫時所定の開度状態で開くように構成することで、複数の開閉ダンパー５Ａ，５Ｂ，５Ｃ・・・の開閉作動が段階的にスムースに行い得るのである。【００１０】  また、前記従動体８には前記傾斜カム板７Ａに接当するローラー８Ａが設けられていることが好ましい。
このように、前記従動体８にローラー８Ａを設けることで、可動する前記傾斜カム板７Ａに対する接当がスムースに行われることになり、これにより、複数の開閉ダンパー５Ａ，５Ｂ，５Ｃの開閉操作がスムースに行われる。
【実施例１】
【００１１】  本考案にかかる可動作業ブース用集塵装置におけるダクト装置の好適実施例について、図面に基づいて以下詳述する。
図１乃至図４に示すように、敷設された電動モーターにより、軌道上を水平移動可能に設けられた、此処では一つの可動作業ブース１（塗装ブース）と、該可動作業ブース１を、ダクト２を介して集塵する集塵装置１３（排気ブロワー）とから成る可動ブース用集塵装置におけるダクト装置である。図３は、便宜上、左部に吸引ダクト本体３を正面視の縦断面で示し、右部に吸引ダクト本体３を側面視の縦断面で示して展開させている。【００１２】  このダクト装置は、前記可動作業ブース１の移動範囲（少し大き目）に延設された吸引ダクト本体３を有する。そして、一端が前記可動作業ブース１側に接続固定され、他端が前記吸引ダクト本体３に臨まされて設けられた接続ダクト４を備えている。この接続ダクト４は、その一部にフィルターを内蔵している。更に、前記吸引ダクト本体３の長手方向に、ここではダクト上面に、所定の間隔で配置された複数の開閉ダンパー５Ａ，５Ｂ，５Ｃ，５Ｄ，５Ｅ，５Ｆ，５Ｇ，５Ｈが開閉自在に設けられている。図３は、吸引ダクト本体３をその長手方向に断面し、各開閉ダンパー５Ａ，５Ｂ，５Ｃ，５Ｄ，５Ｅ，５Ｆ，５Ｇ，５Ｈを示した図である。【００１３】  また、前記可動作業ブース１の前記接続ダクト４の一側にダンパー操作体７が一体的に設けられ、該ダンパー操作体７に摺接する状態で吸引ダクト本体３に各従動体８が設けられ、該各従動体８に固定され、且つ、前記開閉ダンパー５Ａ，５Ｂ，５Ｃ，５Ｄ，５Ｅ，５Ｆ，５Ｇ，５Ｈと一体の各回動軸９と、該各回動軸９に連設され、且つ前記開閉ダンパー５Ａ，５Ｂ，５Ｃ，５Ｄ，５Ｅ，５Ｆ，５Ｇ，５Ｈを常時閉じ方向に附勢するように設けられた各バネ１０とから成る。これによって、前記可動作業ブース１が所定位置に至ったときに、前記ダンパー操作体７が、対応する少なくとも一つの従動体８に接当し、前記バネ１０に抗して前記回動軸９を回動させて少なくとも一つの前記開閉ダンパー５Ｃを開くように構成してある。【００１４】  更に、具体的に説明すると、前記ダンパー操作体７が、所定長さの傾斜カム板７Ａで構成され、該傾斜カム板７Ａに複数の従動体８が同時に接当して、各開閉ダンパー５Ａ，５Ｂ，５Ｃを全開及び所定角度の開度で開くように構成してある。この傾斜カム板７Ａは、側面視で、下向きに凸の台形を成す形状に構成されている。従って、両側において傾斜部が存在し、中央において平坦部が存在する。
また、前記従動体８には、摺動抵抗を減じるために、前記傾斜カム板７Ａに接当するローラー８Ａが設けられている。
図４、図６、図７において、１２は、開閉ダンパー５Ａ，５Ｂ，５Ｃ・・・を閉じる箇所のシールである。
実際の開閉ダンパー５Ａ，５Ｂ，５Ｃ，５Ｄ，５Ｅ，５Ｆ，５Ｇ，５Ｈの開閉は次のように行われる。【００１５】（作用）
上記可動作業ブース１は、敷設の電動モーター１１により駆動されて所定の範囲で往復可動され、所定の作業位置で停止される（図３）。
この際、可動作業ブース１と一体の接続ダクト４も移動するが、これにはダンパー操作体７が一体的に設けられており、このダンパー操作体７が移動すると、図４、図６及び図７に示すように、その傾斜カム板７Ａが吸引ダクト本体３に設けた従動体８に接当し、前記バネ１０に抗してこれを回動軸９周りに回動させる。
その結果、回動軸９と一体の開閉ダンパー５Ｃが開かれる。【００１６】  この際、図３に示すように、前記傾斜カム板７Ａは、所定の長さで構成され、且つ、傾斜部とその後の直線部とから構成されているので、此処に複数の従動体８が接当することになって、対応する複数の開閉ダンパー５Ｃ，５Ｄ，５Ｅが全開するようになる。
従って、可動作業ブース１の移動につれて、前記所定の開閉ダンパー５Ｃ，５Ｄ，５Ｅが全開し、或いは、暫時閉鎖して行くことになる。
また、従動体８が傾斜カム板７Ａから離れると、図７に示すように、開閉ダンパー５Ｃは、バネ１０によって閉じ状態に至る。
【産業上の利用可能性】
【００１７】  本発明は、可動作業ブース用集塵装置におけるダクト装置に関するもので、可動部を対象とする集塵ダクトにおける相対移動部におけるダクトの改良にかかるものであるので、その適用には、実施例の如き塗装ブースの他に、種々の対象装置が考えられるもので、その応用範囲は広いものである。
【図面の簡単な説明】
【００１８】
【図１】本考案に係る可動作業ブース用集塵装置の全体平面図。
【図２】本考案に係る可動作業ブース用集塵装置の全体正面図。
【図３】本考案に係るダクト装置の一部展開の縦断側面図。
【図４】本考案に係るダクト装置の要部の縦断正面図。
【図５】本考案に係るダクト装置の要部の横断図。
【図６】本考案に係るダクト装置の一作用を示す要部の側面図。
【図７】本考案に係るダクト装置の一作用を示す要部の側面図。
【符号の説明】
【００１９】１：可動作業ブース
２：ダクト
３：吸引ダクト本体
４：接続ダクト
５Ａ〜５４Ｈ：開閉ダンパー
７：ダンパー操作体
７Ａ：傾斜カム板
８：従動体
８Ａ：ローラー
９：回動軸
１０：バネ
【図１】
0003126172.tif 000003
【図２】
0003126172.tif 000004
【図３】
0003126172.tif 000005
【図４】
0003126172.tif 000006
【図５】
0003126172.tif 000007
【図６】
0003126172.tif 000008
【図７】
0003126172.tif 000009